(57)【要約】【課題】無線タグセンサ等を所持していないユーザも通常の画像読取りが可能であり、所定条件に従って原稿の置忘れ防止機能を適宜作動させることが可能なセキュリティの高い画像読取装置を提供する。【解決手段】本発明の画像読取装置は、原稿台に載置された原稿を読み取る原稿読取手段と、原稿台に載置された原稿を検知する原稿検知手段８２と、操作者の存在を検知する操作者検知手段８３と、原稿置忘れ防止処理を実行する第１モードと、原稿置忘れ防止処理を実行しない第２モードとのいずれかを設定可能なモード設定手段９０と、前記モード設定手段により前記第１モードに設定された場合であって、前記原稿検知手段により前記原稿が検知され、且つ前記操作者検知手段により操作者が検知されない場合に、前記原稿置忘れ防止処理を実行する制御手段９０とを具備することを特徴とする。【選択図】図４
2008008984.tif 000002
【特許請求の範囲】
【請求項１】
原稿台に載置された原稿の画像を読み取る画像読取手段と、
原稿台に載置された原稿を検知する原稿検知手段と、
操作者の存在を検知する操作者検知手段と、
原稿置忘れ防止処理を実行する第１モードと、原稿置忘れ防止処理を実行しない第２モードとのいずれかを設定可能なモード設定手段と、
前記モード設定手段により前記第１モードに設定された場合であって、前記原稿検知手段により前記原稿が検知され、且つ前記操作者検知手段により操作者が検知されない場合に、前記原稿置忘れ防止処理を実行する制御手段と、
を具備する画像読取装置。
【請求項２】
指紋読取部を備え、
前記モード設定手段は、前記指紋読取部が指紋情報を読み取った場合に、前記第１モードに設定する請求項１に記載の画像読取装置。
【請求項３】
指紋読取部を備える一方、特定の操作者の指紋情報を記憶する指紋情報記憶手段を有し、
前記モード設定手段は、前記指紋読取部が読み取った指紋情報と、前記指紋情報記憶手段に記憶された指紋情報との照合結果に従って、前記第１モード若しくは第２モードのいずれかを設定する請求項１に記載の画像読取装置。
【請求項４】
前記指紋読取部は、連続で若しくは所定間隔で指紋読取りが行われているか否かに関する指紋読取継続情報を作成し、
前記操作者検知手段は、前記指紋読取部が作成した前記指紋読取継続情報に基づいて前記操作者の存在を検知する請求項２又は３に記載の画像読取装置。
【請求項５】
前記第１モード若しくは前記第２モードとの間で、操作者による設定変更を可能とする設定変更装置を備える請求項１に記載の画像読取装置。
【請求項６】
前記設定変更装置が押しボタン装置であって、
前記モード設定手段は、前記押しボタン装置が押下された場合に、前記第１モードに設定する請求項５に記載の画像読取装置。
【請求項７】
前記設定変更装置は、連続で若しくは所定間隔で当該設定変更装置への操作が行われているか否かに関する操作継続情報を作成し、
前記操作者検知手段は、前記設定変更装置からの操作継続情報に基づいて前記操作者の存在を検知する請求項５又は６に記載の画像読取装置。
【請求項８】
前記モード設定手段は、前記原稿検知手段が原稿に予め付与された識別情報を検知した場合に、前記第１モードに設定する請求項１ないし７のいずれか１項に記載の画像読取装置。
【請求項９】
操作者による原稿除去を確認する確認手段と、当該操作者による原稿除去に関する原稿除去情報を作成する原稿除去情報作成手段とを備え、
前記モード設定手段は、前記原稿除去情報に基づいて、前記第１モードから前記第２モードに設定変更する請求項１ないし８のいずれか１項に記載の画像読取装置。
【請求項１０】
前記画像読取手段によって読み取られた原稿の複製物を作成する複製物作成手段を備え、
操作者による前記複製物の除去を確認する複製物除去確認手段と、当該操作者による複製物の除去に関する複製物除去情報を作成する複製物除去情報作成手段とを備え、
前記モード設定手段は、前記複製物除去情報に基づいて、前記第１モードから前記第２モードに設定変更する請求項１ないし８のいずれか１項に記載の画像読取装置。
【請求項１１】
前記原稿置忘れ防止処理は、セキュリティレベルに応じて処理内容の異なる複数種の原稿置忘れ防止処理を含み、前記制御手段は、前記セキュリティレベルを確認するセキュリティレベル確認手段と、確認した当該セキュリティレベルに対応した原稿置忘れ防止処理を選択する処理選択部とを含む請求項１ないし１０のいずれか１項に記載の画像読取装置。
【請求項１２】
原稿台に載置された原稿の画像を読み取る画像読取手段と、
原稿台に載置された原稿を検知する原稿検知手段と、
操作者の存在を検知する操作者検知手段と、
前記原稿検知手段により前記原稿が検知され、且つ前記操作者検知手段により操作者が検知されない場合に、原稿置忘れ防止処理を実行する制御手段と、
を具備する画像読取装置において、
前記操作者検知手段は、押しボタン装置を含み、当該押しボタン装置が連続で若しくは所定間隔で押下されているかにより、前記操作者が存在しているか否かを検知することを特徴とする画像読取装置。
【発明の詳細な説明】
【技術分野】
【０００１】
本発明は、画像読取装置に関する。
【背景技術】
【０００２】
コピー機等の画像読取装置において、機密文書を読み取り中に操作者が読取装置から離れようとしたときに（例えば、突然誰かに呼ばれるなどして）、機密文書を読み取り中のまま、あるいは読み取った後に当該機密文書を読取装置に置き忘れる場合がある。そして、置き忘れた機密文書を他の誰かが持ち去り、重要情報（機密内容）が漏洩する可能性がある。従って、画像読取装置には機密文書置忘れ防止機能を持たせることが必要となる。
【０００３】
例えば特許文献１には、原稿のセットを判定後、無線タグセンサの出力を取り込み、使用中のユーザを識別するユーザＩＤを取得し、ユーザを識別する技術が開示されている。そして、原稿が存在する間はＩＤの取得が継続してなされているかを判定することで原稿の置忘れを防止している。また、その他にも例えば特許文献２〜５のような技術も開示されている。
【特許文献１】特開２００５−８４４４０公報
【特許文献２】特開平７−１７７２８８号公報
【特許文献３】特開２００１−２０２５５１公報
【特許文献４】特開平６−６７４８２号公報
【特許文献５】特開平６−２３０６２７号公報
【発明の開示】
【発明が解決しようとする課題】
【０００４】
しかし、特許文献１に開示された技術では、無線タグセンサを備えていないユーザは原稿の読取りを行うことができない問題がある。また、その他の特許文献２〜５に開示された技術においても、原稿の置忘れを予防する必要がないとき、例えば大量の原稿を読み取らせる場合などでも、強制的に原稿置忘れ防止機能が作動してしまい、例えばＡＤＦ（自動原稿送り装置）を使用して原稿を読み取る際に、意識的に読取装置から離れた場合でも、警告がされてしまう不具合がある。
【０００５】
本発明は、上記のような問題を解決するためになされたもので、無線タグセンサ等を所持していないユーザも通常の画像読取りが可能であり、所定条件に従って、原稿の置忘れ防止機能を適宜作動させることが可能なセキュリティの高い画像読取装置を提供することを目的としている。
【課題を解決するための手段】
【０００６】
上記課題を解決するために、本発明の画像読取装置は、原稿台に載置された原稿の画像を読み取る画像読取手段と、原稿台に載置された原稿を検知する原稿検知手段と、操作者の存在を検知する操作者検知手段と、原稿置忘れ防止処理を実行する第１モードと、原稿置忘れ防止処理を実行しない第２モードとのいずれかを設定可能なモード設定手段と、前記モード設定手段により前記第１モードに設定された場合であって、前記原稿検知手段により前記原稿が検知され、且つ前記操作者検知手段により操作者が検知されない場合に、前記原稿置忘れ防止処理を実行する制御手段と、を具備することを特徴とする。
【０００７】
本発明の画像読取装置によれば、第１モードの場合のみ操作者の存在を検知して、原稿の置忘れ防止処理を実行することができ、第２モードの場合には原稿の置忘れ防止処理を実行せず通常の画像読取りを実行することができる。従って、無線タグ等の操作キーを備えていない操作者であっても、第２モードに設定すれば画像の読取りを実行でき、従来のような特定の操作者のみしか画像の読取りを実行できないという不具合を解消することができる。また、大量の原稿を読み取らせる場合等、原稿置忘れ防止を実行する必要がないときは、第２モードに設定することで原稿置忘れ防止処理が実行されず、当該画像読取装置から操作者が離れた状態でも大量の原稿の読取りをスムーズに実行することが可能となる。
【０００８】
本発明の画像読取装置は、さらに指紋読取部を備え、前記モード設定手段は、前記指紋読取部が指紋情報を読み取った場合に前記第１モードに設定するものとすることができる。
このような画像読取装置によれば、操作者が指紋を読み取らせた場合にモード設定するものとしているため、操作者の意思を確実に反映した原稿置忘れ防止処理を実行することが可能となる。また、指紋情報の読取りに従ってモード設定を行うため、モード設定時に操作者を識別することが可能となり、例えばモード設定を行った操作者を後から識別することができるため、当該画像読取装置のセキュリティ機能を一層高めることも可能となる。
【０００９】
本発明の画像読取装置は、さらに指紋読取部を備え、前記モード設定手段は、特定の操作者の指紋情報を記憶する指紋情報記憶手段を有するとともに、前記指紋読取部が読み取った指紋情報と、前記指紋情報記憶手段に記憶された指紋情報との照合結果に従って、前記第１モード若しくは第２モードのいずれかを設定するものとすることができる。
このような画像読取装置によれば、指紋情報の照合結果によりモード設定を行うため、操作者毎にモード設定の有無を確実に分別することが可能となる。また、例えば操作者毎にそれぞれ原稿置忘れ防止処理の種別が異なるセキュリティレベルを設定しておき、照合結果に基づいて操作者を識別し、操作者毎に異なる原稿置忘れ防止処理を実行させることも可能となる。
【００１０】
前記指紋読取部は、連続で若しくは所定間隔で指紋読取りが行われているか否かに関する指紋読取継続情報を作成し、前記操作者検知手段は、前記指紋読取部からの前記指紋読取継続情報に基づいて前記操作者の存在を検知するものとすることができる。
このような構成によれば、操作者の存在を確実に検知可能となり、また特に所定間隔で指紋読取継続情報を読み取るものとすれば、操作者は当該所定間隔内において指紋読取部から指を離して、指紋読取以外の操作を適宜行うことも可能となる。
【００１１】
本発明の画像読取装置は、前記第１モード若しくは前記第２モードとの間で、操作者による設定変更を可能とする設定変更装置を備えるものとすることができる。
このような構成によれば、操作者による設定変更装置への操作に基づいて適宜モードを変更可能となり、モード設定処理が極めて簡便なものとなる。
【００１２】
前記設定変更装置が押しボタン装置であって、前記モード設定手段は、前記押しボタン装置が押下された場合に、前記第１モードに設定するものとすることができる。
このような構成によれば、押しボタン装置への押下によりモードが設定されるため、モード設定処理が一層簡便なものとなる。また、押しボタン装置によれば、例えば指紋の読み取りを行う場合に比して、当該画像読取装置の構成自体も簡便なものとなる。
【００１３】
また、前記設定変更装置は、連続で若しくは所定間隔で当該設定変更装置への操作が行われているか否かに関する操作継続情報を作成し、前記操作者検知手段は、前記設定変更装置からの操作継続情報に基づいて前記操作者の存在を検知するものとすることができる。
このような構成によれば、操作者の存在を簡便且つ確実に検知可能となる。
【００１４】
前記モード設定手段は、前記原稿検知手段が原稿に予め付与された識別情報を検知した場合に、前記第１モードに設定するものとすることができる。
このような構成によれば、原稿の種別に応じてモード設定が可能となり、当該原稿のセキュリティを高めることが可能となる。例えば、原稿毎にセキュリティレベルを設定しておき、識別情報に基づいて原稿を識別し、原稿毎に異なる原稿置忘れ防止処理を実行させることも可能となる。
【００１５】
本発明の画像読取装置は、さらに操作者による原稿除去を確認する確認手段と、当該操作者による原稿除去に関する原稿除去情報を作成する原稿除去情報作成手段とを備え、前記モード設定手段は、前記原稿除去情報に基づいて、前記第１モードから前記第２モードに設定変更するものとすることができる。
このような画像読取装置によれば、第１モードを終了して第２モードに設定変更する契機を確実に特定することが可能となる。つまり、操作者による原稿除去を確認し、原稿の除去が確認されれば、第１モードを終了して第２モードに変更する処理を実行することが可能となり、ひいては不要な原稿置忘れ防止処理の実行を防ぐことも可能となる。
【００１６】
前記画像読取手段によって読み取られた原稿の複製物を作成する複製物作成手段を備え、操作者による前記複製物の除去を確認する複製物除去確認手段と、当該操作者による複製物の除去に関する複製物除去情報を作成する複製物除去情報作成手段とを備え、前記モード設定手段は、前記複製物除去情報に基づいて、前記第１モードから前記第２モードに設定変更するものとすることができる。この場合、複製物の置忘れ防止機能も兼備させることが可能となる。
【００１７】
前記原稿置忘れ防止処理は、セキュリティレベルに応じて処理内容の異なる複数種の原稿置忘れ防止処理を含み、前記制御手段は、前記セキュリティレベルを確認するセキュリティレベル確認手段と、確認した当該セキュリティレベルに対応した原稿置忘れ防止処理を選択する処理選択部とを含むものとすることができる。
このような構成によれば、第１モードにあってもセキュリティレベルに応じて異なる原稿置忘れ防止処理を実行できるようになり、ひいては原稿の管理を一層正確且つ高度化することが可能となる。原稿置忘れ防止処理の種別としては、例えば原稿や操作者の種別に応じて、画像読取りを強制的に中断させる処理の他、画像の記録を強制的に中断させたり、原稿カバーをロックして原稿の取り出しを強制的に中断させたりする処理を例示することができる。
【００１８】
また、本発明の画像読取装置は、原稿台に載置された原稿の画像を読み取る画像読取手段と、原稿台に載置された原稿を検知する原稿検知手段と、操作者の存在を検知する操作者検知手段と、前記原稿検知手段により前記原稿が検知され、且つ前記操作者検知手段により操作者が検知されない場合に、原稿置忘れ防止処理を実行する制御手段と、を具備し、前記操作者検知手段は、押しボタン装置を含み、当該押しボタン装置が連続で若しくは所定間隔で押下されているかにより、前記操作者が存在しているか否かを検知することを特徴とすることができる。この場合、操作者の存在を簡便且つ確実に検知し得る画像読取装置を提供することが可能となる。
【発明を実施するための最良の形態】
【００１９】
＜実施形態１＞
本発明に係る実施形態について図面を参照しつつ説明する。
図１に示す本実施形態の画像読取装置は、プリンタ機能、スキャナ機能、コピー機能等を備えた複合機１であり、図１はその外観を示す斜視図である。また、図２は読取ユニット３を開けた状態を示す複合機１の斜視図であり、図３は複合機１の側断面図、図４は複合機１の電気的構成を示すブロック図である。なお、以下の説明では、複合機１について、操作部６が設けられた面側（図１で紙面右下方向）を「前方」、その反対側（図１で紙面左上方向）を「後方」とする。
【００２０】
（全体構成）
この複合機（画像読取装置）１は、フィーダ部２１及び画像形成部２２等（図３参照）を内蔵する画像形成ユニット２と、自動搬送原稿読取ユニット（以下「読取ユニット」という）３とを備えている。図１、図２に示すように、読取ユニット３は、上面に矩形状の原稿台４ａが設けられた画像読取装置４と、その原稿台４ａを覆うように配される自動原稿搬送装置（以下「ＡＤＦ」という）５とを備えて構成されている。図２に示すように、読取ユニット３は、上記操作部６とは反対側の後端部が画像形成ユニット２の上面後端側において回動可能に軸支されている。
【００２１】
画像読取装置４の一端側（図１で紙面右下方向）には、ユーザによる各種の操作が可能な操作部６が設けられている。
操作部６は、モード選択スイッチ９６、スタートキー９７、各種の操作ボタン９８、セキュリティキー９９が設けられている。
モード選択スイッチ９６は、３種類の機能モード（プリンタ機能、スキャナ機能、コピー機能のそれぞれの動作を可能とするモード）のうちからいずれかのモードを選択可能となっている。具体的には、コピーモードを選択するためのコピーモードキー９６ａ、ＦＡＸ（ファックス）モードを選択するためのＦＡＸモードキー９６ｂ、スキャナモードを選択するためのスキャナモードキー９６ｃの３つのモードキーが左右に並んで設けられている。
【００２２】
スタートキー９７は、機能モードに応じた動作を開始させるためのスイッチであり、コピーモードのときに押される（オンされる）と原稿台４ａ上に配（載置）された原稿のコピーを開始する。
なお、ＦＡＸモード、スキャナモードのときに、スタートキー９７が押されると、ＦＡＸ送信原稿読取や、スキャナ原稿読取等の動作が行われるようになっている。
【００２３】
セキュリティキー９９は、押しボタン装置により構成され、例えばユーザによって当該押しボタンが押下されるとセキュリティ設定が行われ、原稿の置忘れ防止処理が実行される。
【００２４】
また、セキュリティキー９９に並列して表示部１０１が設けられて各種情報を表示可能となっている。例えば印刷要求があった後、ペーパ（コピー用紙）Ｗ不足等のエラーが生じた場合には表示部１０１にエラー表示がなされて、エラーが生じたことがユーザに報知されるようになっている。
【００２５】
この操作部６の下側の位置には排紙トレイ２ａ（図３参照）に連なって開口した用紙取り出し孔７が形成されている。その用紙取り出し孔７の下側には水平方向に伸びるスリット状の開口した手差給紙口８が形成されており、更にその下側には、２つの給紙カセット９（９Ａ，９Ｂ）が２段に設けられている。
【００２６】
（画像形成ユニット）
画像形成ユニット２の各構成について、図３を参照しつつ説明する。図３は、複合機１を給紙ローラ２５等の軸方向から見た要部側断面図であり、同図において紙面右側が複合機１の前方であり、紙面左側が複合機１の後方となる。
【００２７】
画像形成ユニット２のケーシング２０内には、ペーパＷを給紙するためのフィーダ部２１や、給紙されたペーパＷに所定の画像を形成するための画像形成部（印刷手段）２２などが備えられている。また、画像形成部２２の上部には、画像形成部２２により画像形成され、排出されたペーパＷを保持するために用いられる排紙トレイ２ａが配されている。
【００２８】
フィーダ部２１は、２つの給紙カセット９Ａ，９Ｂと、各給紙カセット９（９Ａ，９Ｂ）内に設けられた揺動可能な用紙押圧板（図示略）と、各給紙カセット９の前端側端部の上方に設けられる給紙ローラ２５などによって構成されている。
【００２９】
各給紙カセット９（９Ａ，９Ｂ）は、ケーシング２０内の下方側に配され、操作部６側の面からそれぞれ着脱（装着及び取り外し）可能に装着されており、この中に用紙が積層されて収納されるようになっており、給紙ローラ２５によって最上位の用紙が搬送経路を介してレジストローラ２９側に順次送られるようになっている。
【００３０】
レジストローラ２９は、一対のローラから構成されており、給紙ローラ２５の近傍に配置された図示しない位置センサによる検知タイミングに基づいて、駆動および停止の動作が制御装置（図示略）により制御される。そして、この制御によりペーパＷの斜行が修正される。
【００３１】
一方、画像形成部２２は、スキャナユニット４０、プロセスユニット４１、定着ユニット４２などを備えている。
図３に示すように、スキャナユニット４０は、ケーシング２０内の上部に設けられ、レーザ発光部（図示省略）、ポリゴンモータ４３により回転駆動されるポリゴンミラー４４、レンズ４５および４６、反射鏡４７および４８などを備えており、レーザ発光部から発光される所定の画像データに基づくレーザビームを、ポリゴンミラー４４、レンズ４５、反射鏡４７、レンズ４６、反射鏡４８の順に通過あるいは反射させて、後述するプロセスユニット４１における感光体ドラム５２の表面上に高速走査にて照射させている。
【００３２】
複合機１には、画像形成ユニット２の本体部に対して着脱可能なプロセスユニット４１が設けられている。
プロセスユニット４１は、ドラムカートリッジ５０と、現像カートリッジ５１とから構成されている。
【００３３】
プロセスユニット４１のうち、ドラムカートリッジ５０は、感光体ドラム５２、スコロトロン型帯電器５３、転写ローラ５４を備えている。また、現像カートリッジ５１は、現像ローラ５５、現像ローラ５５上に圧接される層厚規制ブレード５６、トナー供給ローラ５７およびトナー（現像剤）が充填されるトナーボックス５８などを備えている。
【００３４】
感光体ドラム５２は、現像ローラ５５の側方位置において、その現像ローラ５５と対向するような状態で時計方向に回転可能に配設されている。
【００３５】
スコロトロン型帯電器５３は、正帯電用のスコロトロン型の帯電器であり、感光体ドラム５２に接触しないように、所定の間隔を隔てて配設されている。
【００３６】
そして、感光体ドラム５２の表面は、その感光体ドラム５２の回転に伴って、まず、スコロトロン型帯電器５３により一様に正帯電された後、スキャナユニット４０からのレーザビームの高速走査により露光され、所定の画像データに基づく静電潜像が形成される。
【００３７】
次いで、現像ローラ５５の回転により、現像ローラ５５上に担持されかつ正帯電されているトナーが、感光体ドラム５２に対向して接触する時に、感光体ドラム５２の表面上に形成される静電潜像に供給される。
【００３８】
転写ローラ５４は、感光体ドラム５２の下方において、この感光体ドラム５２に対向するように配置され、ドラムカートリッジ５０に反時計方向に回転可能に支持されている。そして、感光体ドラム５２の表面上に担持された可視像は、ペーパＷが感光体ドラム５２と転写ローラ５４との間を通る間にペーパＷに転写される。
【００３９】
定着ユニット４２は、プロセスユニット４１よりも用紙搬送方向下流側（後方側）に配設され、定着ユニット４２は転写されたペーパＷ上のトナーを加熱溶融させるための加熱ローラ６３と、加熱ローラ６３に対向して配置され、給送されるペーパＷを加熱ローラ６３に向けて押圧する押圧ローラ６４と、サーモスタット６５とを備えている。
【００４０】
加熱ローラ６３は、円筒状部材としての金属素管を備え、その軸方向に沿ってハロゲンランプが内装されている。このハロゲンランプにより、加熱ローラ６３の表面を、トナーがペーパＷに定着される定着温度（例えば、２００℃）まで加熱可能となっている。
【００４１】
押圧ローラ６４は、金属製のローラ軸と、この押圧ローラ軸の周りを被覆する、ゴム材料からなるゴムローラとを備えている。この押圧ローラのゴムローラにより、加熱ローラ６３の金属素管に弾性的に押圧され、加熱ローラ６３の回転に従動される。
【００４２】
サーモスタット６５は、例えばバイメタルからなり、加熱ローラ６３から発生される熱に応じて、加熱ローラ６３を加熱するためのヒータの電源をＯＮ・ＯＦＦし、加熱ローラ６３が異常な高温に加熱されないようにしている。
【００４３】
このような定着ユニット４２において、加熱ローラ６３は、プロセスユニット４１においてペーパＷ上に転写されたトナーを、ペーパＷが加熱ローラ６３と押圧ローラ６４との間を通過する間に加熱および加圧することにより定着させる。
【００４４】
さらに、加熱ローラ６３は、画像定着後のペーパＷを、ガイド部材６７，６８により形成される排紙パスを介して、排出ローラ６９まで搬送する。そして、排出ローラ６９は、送られてきたペーパＷを排紙トレイ２ａ上に排紙する。
【００４５】
（読取ユニット）
読取ユニット３は、画像読取装置４とＡＤＦ５とを備え、画像読取装置（画像読取手段）４は、画像形成ユニット２の排紙トレイ２ａの上方において、その下面４ｂが当該排紙トレイ２ａと対向し、この排紙トレイ２ａを覆うように配されている。
【００４６】
なお、読取ユニット３は後述するＩＣリーダ／ライタ８１（図４参照）を備え、例えば図８に示すようにコピー対象の原稿ＭＳに付されたＩＣチップを内蔵したＩＤタグ８０を検知可能とされている。また、読取ユニット３は原稿検知センサ（原稿検知手段）８２（図４参照）も備えて、原稿台４Ａに載置される原稿の存在を検知可能に構成されている。
【００４７】
読取ユニット３は、フラットベッド方式のスキャナとして構成されており、このフラットベッド方式の構成では、ＡＤＦ５が後方に開くと、原稿台４ａが露出するようになっており（図２参照）、その原稿台４ａ上に本やその他の各種原稿を載置した状態でコピー時等における読取りができるように構成されている。
【００４８】
なお、原稿の読取りは、原稿台４ａ上に原稿を載置して行う場合と、ＡＤＦ５を利用する場合とがある。原稿台４ａ上に原稿を載置して行う場合には、原稿の搬送方向に沿って延びる軸７９に沿って、かつ、原稿台４ａに沿ってＣＩＳ（コンタクトイメージセンサ）７１が移動され、その際に１ラインずつ、原稿台４ａ上に載置された原稿の読取りが行われる。また、一方、ＡＤＦ５を利用する場合には、ＣＩＳ７１が原稿台４ａの左端部側に移動され、その位置で保持されて、ＡＤＦ５により搬送される原稿の読取りが１ラインずつ行われるようになっている。
【００４９】
（電気的構成）
複合機１の電気的構成については図４に簡略化して示されている。
複合機１は、各種の入力操作を受け付ける操作部６と、画像データの読取を行う読取ユニット３と、印刷及び定着ユニット４２（図３参照）により加熱定着を行う画像形成部２２と、ＲＯＭ９１と、ＲＡＭ９２と、ＮＶＲＡＭ（不揮発性メモリ）９３と、ＣＰＵ９０と、電話回線等の通信回線に接続されるファクシミリインターフェース９４、不図示のＰＣ（パーソナルコンピュータ）等に接続されるネットワークインターフェース９５とを備えて構成されている。
【００５０】
ＣＰＵ９０は、外部のＰＣからの画像データの受信及び、コピー操作が行われることにより読取ユニット３からの画像データの受信があると、画像データ及び画像データに付加されている情報（例えば印刷指令を行ったユーザの情報、印刷要求のあった枚数等のページ情報）をＲＡＭ９２に記憶させる。
【００５１】
また、ＣＰＵ９０はユーザによってセキュリティキー９９が操作された場合、つまりボタン式のセキュリティキーが押下された場合に、図５に示すような原稿置忘れ防止処理を実行する。以下、この原稿置忘れ防止処理について詳細に説明する。
【００５２】
（原稿置忘れ防止処理）
図５は、本実施形態の複合機１が実行する原稿置忘れ防止処理の概略を示すフローチャートである。
まず、Ｓ１においてセキュリティモードに設定されているか否かを判断する。つまり、本実施形態の原稿置忘れ防止処理はセキュリティモードが設定された場合（第１モード）のみ行うものとしており、例えば大量の原稿をコピーする場合等、通常の使用時には、セキュリティモードを設定しなければ、当該原稿置忘れ防止処理は実行されないものとなる（第２モード）。
【００５３】
ここで、Ｓ１におけるセキュリティモードの設定は、上述した通りユーザによるセキュリティキー９９への押下に基づいて行われる（モード設定手段）。具体的には、セキュリティキー９９への押下があった場合にセキュリティモードが設定され（Ｓ１：ＹＥＳ）、Ｓ２以降の処理に進む一方、セキュリティキー９９への押下がない場合にはセキュリティモード非設定として処理を終了する（Ｓ１：ＮＯ）。
【００５４】
なお、本実施形態では、上記のようなユーザによるセキュリティキー９９への押下の有無に加えて、原稿が所定のＩＣチップ（ＩＤタグ）を具備するか否かによってもセキュリティモードの設定が可能とされている。つまり、例えば原稿が有するＩＣチップに格納された情報をＩＣリーダ／ライタ８１により認識されれば、セキュリティモードを設定するものとしている。
【００５５】
セキュリティモードの設定が確認されると、Ｓ２において原稿の有無が確認される。ここでは、原稿検知センサ８２からの原稿検知信号の有無を確認し、原稿がある場合（Ｓ２：ＹＥＳ）にはＳ３以降の処理に進む一方、原稿がない場合（Ｓ２：ＮＯ）には処理を終了する。
【００５６】
セキュリティモードの設定が確認され、原稿の存在が確認されると、Ｓ３においてユーザの存在を確認する。ここでは、セキュリティキー９９への押下の継続があるか否かの情報を当該セキュリティキー９９が作成し、該情報によりユーザの存在を確認するものとしている。セキュリティキー９９への押下継続がある場合（Ｓ３：ＹＥＳ）には、ユーザが存在すると判断してＳ４以降の処理に進む。一方、セキュリティキー９９への押下継続がない場合（Ｓ３：ＮＯ）には、ユーザが存在しないとの判断により原稿置忘れと判断して、Ｓ１１において警報音等を鳴らす等の報知動作を行い、Ｓ１２において後処理１を行う。なお、後処理１としては例えば「読取中断」、「記録中断」等の各種処理を実行することができ、また後述するように指紋センサ等を具備してユーザの個人情報を識別可能な場合には、例えば「ユーザ認識できるときは、読取動作継続」、「ユーザ認識できないときは、カバーロック」等のように後処理１を場合分けにより実行する機能を具備させることもできる。なお、カバーロックとはここではＡＤＦ５の開放を禁止する処理のことを言う。
【００５７】
なお、ユーザの存在を検知する方法としては、セキュリティキー９９への押下継続の有無を確認する方法以外にも、同じくセキュリティキー９９を利用するものであって、当該押下を所定時間（例えば５秒）毎に確認する方法を採用するものとしても良い。この場合、所定時間内において、ユーザはセキュリティキー９９への押下を中断することが可能となり、ユーザにとって押下以外の操作を原稿読取と同時に進行させることが可能となる。
【００５８】
また、ユーザに個人情報識別手段としてのＩＤタグを具備させるものとし、このＩＤタグを読み取る読取センサを当該複合機１に具備させることで、ユーザの存在を検知するものとしてもよい。或いは、赤外線センサを当該複合機１に具備させて、ユーザの存在を検知する方法を採用することも可能である。
【００５９】
Ｓ３において、ユーザの存在を検知した場合（Ｓ３：ＹＥＳ）には、Ｓ４に進み、原稿の読取りが終了したか否かを判断する。ここで、読取動作が継続されている場合（Ｓ４：ＮＯ）には、Ｓ３に戻ってユーザ検知を繰り返す一方、読取動作が終了している場合（Ｓ４：ＹＥＳ）には、Ｓ５以降の処理に進む。
【００６０】
Ｓ５ではＳ３と同様にユーザ検知を行い、ユーザ検知がされない場合（Ｓ５：ＮＯ）にはＳ１３において警報音等の報知動作を行い、Ｓ１４において後処理２を実行する。この場合、後処理２としては「記録中断」の他、「ユーザ認識できないときは、カバーロック」等の処理を行うことができる。
【００６１】
一方、Ｓ５においてユーザが検知される場合（Ｓ５：ＹＥＳ）にはＳ６に進み、原稿除去の確認を行う。ここでは、原稿検知センサ８２による原稿検知の有無により原稿除去の確認を行うものとしている。具体的には、原稿検知センサ８２により原稿が検知されない場合、原稿が除去されたと判断し（Ｓ６：ＹＥＳ）、Ｓ７に進んでセキュリティモード解除の処理を行う。一方、原稿検知センサ８２により原稿が検知される場合、原稿が除去されていないと判断し（Ｓ６：ＮＯ）、Ｓ５に戻ってユーザ検知を繰り返す。
【００６２】
なお、Ｓ６における原稿除去の確認は、原稿検知センサ８２によるものの他、ＡＤＦ５が開いたか否かにより判断することもでき、この場合、読取終了後にＡＤＦ５が開いた場合に原稿が除去されたものとして判断することができる。或いは、ＩＣチップ付きの原稿の場合、当該ＩＣを読み取るＩＣリーダ／ライタ８１からの検知情報により原稿除去の確認を行うこともでき、この場合、ＩＣを検知できない場合に原稿が除去されたものとして判断することができる。さらに、表示部１０１に「原稿除去？」などのメッセージを表示し、操作部６に設けられたＹＥＳボタン（図示略）等によりユーザが操作することで原稿除去の確認を行うものとすることもできる。ただし、この場合は、メッセージを表示した後、所定時間（例えば１０秒）以内にユーザの操作がない場合に、原稿の除去確認がないものとして報知動作に進むものとすることができる。
【００６３】
以上のような原稿置忘れ防止処理を実行可能なＣＰＵ（制御手段）９０は、セキュリティモードが設定された場合には、ユーザを検知して原稿の置忘れ防止処理を実行できる一方、セキュリティモードが設定されない場合には、原稿の置忘れ防止処理を実行せず通常の画像読取り（コピー）を実行することができる。従って、いかなるユーザであっても、セキュリティモードを設定しなければ通常のコピー操作を実行でき、特定のユーザのみしかコピー操作を実行できないという不具合を解消することができる。例えば、大量の原稿をコピーする等、原稿置忘れ防止処理を実行する必要がないときは、セキュリティモードに設定しなければ原稿置忘れ防止処理が実行されず、当該複合機１からユーザが離れた状態でも大量の原稿のコピーをスムーズに実行することが可能となる。
【００６４】
以下、実施形態１の変形例について説明する。
上記複合機１ではセキュリティキー９９の押下によりセキュリティモードを設定するものとしているが、例えば図６に示すように操作部６に指紋読取部９９ａを設け、当該指紋読取部９９ａへの操作に基づいてセキュリティモードを設定するものとしても良い。
【００６５】
具体的には、指紋読取部９９ａに対する指紋読取操作があった場合には、セキュリティモードが設定されたものとして、図５に示す原稿置忘れ防止処理のＳ２以降の処理を行うことができる。この場合、例えばＮＶＲＡＭ９３に対してユーザの指紋情報を記憶しておき、指紋読取部９９ａが読み取った指紋情報と、ＮＶＲＡＭ９３に記憶された指紋情報との照合の結果、両者が一致した場合にセキュリティモードを設定するように設計することもできる。
【００６６】
このように指紋読取部９９ａによりセキュリティモードの設定を行うものとすれば、ユーザの識別を確実に行うことができ、また例えばユーザ毎にセキュリティレベルを設定しておき、照合結果に基づいてユーザを識別し（セキュリティレベル確認手段）、当該識別したユーザに対応した原稿置忘れ防止処理を行うものとしても良い（処理選択部）。具体的には、図１０に示すようにレベル１であるユーザＡが指紋照合により識別されたときは、後処理として読取中断を行う一方、レベル２であるユーザＢ又はユーザＣが識別されたときは、後処理として記録中断を行い、さらにレベル３であるユーザＤが識別されたときは、後処理としてカバーロックを行う等、ユーザ毎に処理内容の異なるセキュリティレベルを設定保存しておくことができる。
【００６７】
また、指紋読取部９９ａを設けた場合、図５のＳ５におけるユーザの存在確認を当該指紋読取部９９ａに対する継続読取操作があるか否かにより判断するものとしても良い。この場合も、継続読取操作に関する情報は所定間隔毎に作成されるものとし、その所定間隔毎に作成される指紋読取部９９ａからの情報に基づいて、ＣＰＵ９０がユーザ検知の判断を行うものとすることができる（図５：Ｓ５）。
【００６８】
また、セキュリティモードの設定は、例えば図７に示すように操作部６にタッチパネル９９ｂを設け、当該タッチパネル９９ｂへの操作に基づいてセキュリティモードを設定するものとしても良い。なお、タッチパネル９９ｂは図１に示す表示部１０１と一体に形成することができ、所定の操作でテンキーを含む設定メニューボタン（図示略）が表示されるようになっており、設定メニューボタンに触れると、各種の設定に関する表示がされるようになっている。具体的には、タッチパネル９９ｂにユーザが触れた場合にセキュリティモードが設定されたものとし、図５に示す原稿置忘れ防止処理のＳ２以降の処理を行うものとすることができる。
【００６９】
さらに、セキュリティモードの設定は、例えばテンキーを構成する操作ボタン９８へのパスワード入力により行うものとしても良い。具体的には、予め保存されたパスワードと、ユーザにより入力されたパスワードとが一致した場合に、セキュリティモードが設定されたものとして、図５に示す原稿置忘れ防止処理のＳ２以降の処理を行うものとすることができる。なお、パスワード入力は、例えば上記タッチパネル９９ｂへの入力によって行うことも可能である。
【００７０】
一方、図９に示すように予め処理内容の異なるセキュリティレベル１，２，３，４・・・をＮＶＲＡＭ９３（図４参照）に複数設定保存しておき、ユーザの違いに基づいて、又はユーザの意思に基づいて任意に選択される各レベルの後処理を実行させるものとすることができる（図５：Ｓ１２、Ｓ１４）。
【００７１】
例えばユーザが当該セキュリティレベルを選択する場合は、セキュリティキー９９の押下回数により各レベルを選択することができ、１回押下によりレベル１が選択され、２回押下によりレベル２が選択される等とすることができる。
或いは、パスワード入力により各レベルを選択することもできる。つまり、各レベルに対してパスワードを設定しておき、所定のパスワードが入力された場合に対応するレベルが選択されたものとすることができる。
その他にも、図８に示すように原稿ＭＳにＩＣチップ８０が備えられた場合には、当該ＩＣチップ８０内にレベル識別情報を格納しておくこともできる。その場合、当該レベル識別情報をＩＣリーダ／ライタ８１が読み込み（セキュリティ確認手段）、該識別情報に応じたレベルの処理内容を実行するものとすることができる（処理選択部）。
【００７２】
＜実施形態２＞
実施形態１では、画像を取り込む際の原稿の置忘れ防止処理を実行するものとしているが、例えばコピーが行われた複製物（コピー紙）の置忘れ防止処理を併せて行うものとしても良い。具体的には、実施形態２の複合機では、原稿及び複製物の置忘れ防止処理を図１１に示すようなフローで行う。なお、実施形態２の複合機のハード構成は、図１〜図４に示した構成と同様のため当該構成の説明は省略し、以下の説明では、図１〜図４を参照しつつ説明を行う。
【００７３】
図１１は、実施形態２の複合機（画像読取装置）が実行する原稿及び複製物の置忘れ防止処理の概略を示すフローチャートである。
まず、Ｓ２１においてセキュリティモードに設定されているか否かを判断する。つまり、実施形態２の原稿及び複製物置忘れ防止処理は、セキュリティモードが設定された場合（第１モード）のみ行われるものとされており、例えば大量の原稿をコピーする場合等、通常の使用時には、セキュリティモードを設定しなければ、当該原稿置忘れ防止処理は実行されないものとされている（第２モード）。
【００７４】
ここで、Ｓ２１におけるセキュリティモードの設定は、上述した通りユーザによるセキュリティキー９９への押下に基づいて行われる（モード設定手段）。具体的には、セキュリティキー９９への押下があった場合にセキュリティモードが設定され（Ｓ２１：ＹＥＳ）、Ｓ２２以降の処理に進む一方、セキュリティキー９９への押下がない場合にはセキュリティモード非設定として処理を終了する（Ｓ２１：ＮＯ）。
【００７５】
なお、実施形態２においては、上記のようなユーザによるセキュリティキー９９への押下の有無によりモード設定を行うものとしているが、原稿が所定のＩＣチップ（ＩＤタグ）８０を具備するか否かによってモード設定を行うものとしても良い（図８参照）。
【００７６】
セキュリティモードの設定が確認されると、Ｓ２２において原稿の有無が確認される。つまり、原稿検知センサ８２からの原稿検知信号の有無を確認し、原稿がある場合（Ｓ２２：ＹＥＳ）にはＳ３１以降の処理に進む一方、原稿がない場合（Ｓ２２：ＮＯ）には処理を終了する。
【００７７】
セキュリティモードの設定が確認され、原稿の存在が確認されると、Ｓ３１においてユーザの存在を確認する。ここでは、セキュリティキー９９への押下の継続があるか否かの情報を当該セキュリティキー９９が作成し、該情報によりユーザの存在を確認するものとしている。セキュリティキー９９への押下継続がある場合には、ユーザが存在すると判断してＳ３２以降の処理に進む（Ｓ３１：ＹＥＳ）。一方、セキュリティキー９９への押下継続がない場合には、ユーザが存在しないとの判断により原稿置忘れと判断して（Ｓ３１：ＮＯ）、Ｓ３３において警報音等を鳴らす等の報知動作を行い、Ｓ３４において後処理１を行う。なお、後処理１としては例えば「読取中断」、「記録中断」等の各種処理を実行することができ、また指紋センサ等を具備してユーザの個人情報を識別可能な場合には、「ユーザ認識できるときは、読取動作継続」、「ユーザ認識できないときは、カバーロック」等のように後処理１を場合分けして実行する機能を具備させることもできる。なお、カバーロックとはここではＡＤＦ５の開放を禁止する処理のことを言う。
【００７８】
なお、ユーザの存在を検知する方法としては、セキュリティキー９９への押下継続の有無を確認する方法以外にも、同じくセキュリティキー９９を利用するものであって、当該押下を所定時間（例えば５秒）毎に確認する方法を採用するものとしても良い。この場合、所定時間内において、ユーザはセキュリティキー９９の押下を中断することが可能となり、ユーザにとって押下以外の操作を原稿読取と同時に進行させることが可能となる。
【００７９】
また、ユーザに個人情報識別手段としてのＩＤタグを具備させるものとし、当該ＩＤタグを読み取る読取センサを当該実施形態２の複合機に具備させることで、ユーザの存在を検知するものとしてもよい。或いは、赤外線センサを当該実施形態２の複合機に具備させて、ユーザの存在を検知する方法を採用することも可能である。
【００８０】
Ｓ３１において、ユーザの存在を検知した場合（Ｓ３：ＹＥＳ）には、Ｓ３２に進み、原稿の読取りが終了したか否かを判断する。ここで、読取動作が継続されている場合（Ｓ３２：ＮＯ）には、Ｓ３１に戻ってユーザ検知を繰り返す一方、読取動作が終了している場合（Ｓ３２：ＹＥＳ）には、Ｓ４１以降の処理に進む。
【００８１】
Ｓ４１ではＳ３１と同様にユーザ検知を行い、ユーザ検知がされない場合（Ｓ４１：ＮＯ）にはＳ４３において警報音等の報知動作を行い、Ｓ４４において後処理２を実行する。この場合、後処理２としては「記録中断」の他、「ユーザ認識できないときは、カバーロック」等の処理を行うことができる。
【００８２】
一方、Ｓ４１においてユーザが検知される場合（Ｓ４１：ＹＥＳ）にはＳ４２に進み、原稿除去の確認を行う。ここでは、原稿検知センサ８２による原稿検知の有無により原稿除去の確認を行うものとしている。具体的には、原稿検知センサ８２により原稿が検知されない場合、原稿が除去されたと判断し（Ｓ４２：ＹＥＳ）、Ｓ５１に進む。一方、原稿検知センサ８２により原稿が検知される場合、原稿が除去されていないと判断し（Ｓ４２：ＮＯ）、Ｓ４１に戻ってユーザ検知を繰り返す。
【００８３】
なお、Ｓ４１における原稿除去の確認は、原稿検知センサ８２によるものの他、ＡＤＦ５が開いたか否かにより判断することもでき、この場合、読取終了後にＡＤＦ５が開いた場合に原稿が除去されたものとして判断することができる。或いは、ＩＣチップ付きの原稿の場合、当該ＩＣチップの情報を読み取るＩＣリーダ／ライタ８１からの検知情報により原稿除去の確認を行うこともでき、この場合、ＩＣチップの情報を検知できない場合に原稿が除去されたものとして判断することができる。さらに、表示部１０１に「原稿除去？」などのメッセージを表示し、操作部６に設けられたＹＥＳボタン（図示略）等によりユーザが応答操作することで原稿除去の確認を行うものとすることもできる。ただし、この場合は、メッセージを表示した後、所定時間（例えば１０秒）以内にユーザの応答操作がない場合に、原稿の除去確認がないものとして報知動作に進むものとすることができる。
【００８４】
Ｓ５１では、ユーザの検知をＳ３１及びＳ４１と同様に行い、ユーザ検知がされない場合（Ｓ５１：ＮＯ）にはＳ５３において警報音等の報知動作を行い、Ｓ５４において後処理３を実行する。この場合、後処理３としては「記録中断」の他、「ユーザ認識できないときは、カバーロック」等の処理を行うことができる。
【００８５】
一方、Ｓ５１においてユーザが検知される場合（Ｓ５１：ＹＥＳ）にはＳ５２に進み、記録が終了したか否かの確認を行う。ここで、記録動作が継続されている場合（Ｓ５２：ＮＯ）には、Ｓ５１に戻ってユーザ検知を繰り返す一方、記録動作が終了している場合（Ｓ５２：ＹＥＳ）には、Ｓ６１以降の処理に進む。
【００８６】
Ｓ６１では、ユーザの検知をＳ３１、Ｓ４１、Ｓ５１等と同様に行い、ユーザ検知がされない場合（Ｓ６１：ＮＯ）にはＳ６３において警報音等の報知動作を行い、Ｓ６４において後処理４を実行する。この場合、後処理４としては「ユーザ認識できないときは、カバーロック」等の処理を行うことができる。
【００８７】
一方、Ｓ６１においてユーザが検知される場合（Ｓ６１：ＹＥＳ）にはＳ６２に進み、複製物除去の確認を行う。ここでは、複製物検知センサ８４（図４参照）による複製物検知の有無により複製物除去の確認を行うものとしている。具体的には、複製物検知センサ８４により複製物が検知されない場合、複製物が除去されたと判断し（Ｓ６２：ＹＥＳ）、Ｓ７１に進んでセキュリティモード解除の処理を行う。一方、複製物検知センサ８４により複製物が検知される場合、複製物が除去されていないと判断し（Ｓ６２：ＮＯ）、Ｓ６１に戻ってユーザ検知を繰り返す。
【００８８】
以上のような原稿及び複製物置忘れ防止処理を実行可能なＣＰＵ（制御手段）９０は、セキュリティモードが設定された場合には、ユーザを検知して原稿及び複製物の置忘れ防止処理を実行できる一方、セキュリティモードが設定されない場合には、原稿及び複製物の置忘れ防止処理を実行せず通常の画像読取り（コピー）を実行することができる。従って、いかなるユーザであっても、セキュリティモードを設定しなければ通常のコピー操作を実行でき、特定のユーザのみしかコピー操作を実行できないという不具合を解消することができる。そして、例えば大量の原稿をコピーする等、原稿及び複製物の置忘れ防止処理を実行する必要がないときは、セキュリティモードに設定しなければ原稿及び複製物の置忘れ防止処理が実行されず、当該複合機からユーザが離れた状態でも大量の原稿のコピーをスムーズに実行することが可能となる。
【図面の簡単な説明】
【００８９】
【図１】実施形態１の複合機の外観を示す斜視図。
【図２】読取ユニットを開けた状態を示す複合機の斜視図。
【図３】複合機の側断面図。
【図４】複合機の電気的構成を示すブロック図。
【図５】原稿置忘れ防止処理の流れを示すフローチャート。
【図６】複合機の一変形例について電気的構成を示すブロック図。
【図７】複合機の異なる変形例について電気的構成を示すブロック図。
【図８】ＩＤタグを備えた原稿を示す説明図。
【図９】ＲＡＭに格納された後処理の内容を示す図。
【図１０】ＲＡＭに格納された後処理の異なる内容を示す図。
【図１１】原稿及び複製物の置忘れ防止処理の流れを示すフローチャート。
【符号の説明】
【００９０】
１…複合機（画像読取装置）、４…画像読取装置（画像読取手段）、８０…ＩＤタグ（識別情報）、８２…原稿検知センサ（原稿検知手段）、８３…ユーザ検知センサ（操作者検知手段）、８４…複製物検知センサ（複製物除去確認手段）、９０…ＣＰＵ（モード設定手段、制御手段、セキュリティレベル確認手段、処理選択部）、９３…ＮＶＲＡＭ（指紋情報記憶手段）
【図１】
2008008984.tif 000003
【図２】
2008008984.tif 000004
【図３】
2008008984.tif 000005
【図４】
2008008984.tif 000006
【図５】
2008008984.tif 000007
【図６】
2008008984.tif 000008
【図７】
2008008984.tif 000009
【図８】
2008008984.tif 000010
【図９】
2008008984.tif 000011
【図１０】
2008008984.tif 000012
【図１１】
2008008984.tif 000013